(57)【要約】【課題】  一群の原稿に対して、異なる後処理も含めて、一度に後処理設定ができる画像形成装置を実現すること。【解決手段】  画像形成条件に、パンチユニットおよび後処理装置で行われる後処理情報、さらにメイントレイあるいはサブトレイの選択情報を含み、画像メモリ１０６にページ書き込み手段２０１を用いて書き込む際に、画像形成条件を画像情報ごとの個別画像形成条件にして、画像情報とリンクさせて格納し、さらにページ読み出し手段２０２により読み出す際には、画像情報とともにこの個別画像形成条件を読み出し、画像情報、ひいては原稿ごとに後処理を実行することとしているので、一群の原稿に対して、異なる後処理も含めて、一度に後処理設定を行い、実行することができる。【選択図】      図２
2004287411.tif 000002
【特許請求の範囲】
【請求項１】
原稿画像から複写画像を形成する際の画像形成条件を設定する設定手段と、
原稿の画像をページ単位で読み取る読取手段と、
前記読取手段で原稿の画像の読み取りを開始させるための読取開始釦と、
前記読取手段で読み取った複数ページの原稿画像を記憶する記憶手段と、
前記記憶手段に記憶された原稿画像に基づいて、前記設定手段で設定された画像形成条件に従って複写画像を形成する画像形成手段と、
前記画像形成手段で複写画像の形成の開始を指示する画像形成開始釦と、
複数ページからなる原稿から複写画像を形成するに際して、前記複数ページからなる原稿を複数のグループに分け、グループ毎に前記設定手段により画像形成条件を設定し、前記読取開始釦の押下により前記読取手段によってグループ毎に原稿の画像を読み取り、前記記憶手段に原稿画像を記憶させ、前記画像形成開始釦の押下により前記画像形成手段によってグループ毎に設定された画像形成条件に従ったグループ毎の複写画像の形成を、全グループに対して行うように制御する制御手段と、
を有することを特徴とする画像形成装置。
【請求項２】
前記画像形成条件は、前記画像情報の画像形成枚数を含むことを特徴とする請求項１に記載の画像形成装置。
【請求項３】
前記画像形成条件は、前記記録紙を排紙する際の排紙位置情報を含むことを特徴とする請求項１に記載の画像形成装置。
【請求項４】
前記画像形成条件は、同一画像形成条件が終了することを示す区切り情報を含むことを特徴とする請求項１に記載の画像形成装置。
【請求項５】
前記制御手段は、前記区切り情報に基づいて、前記後処理部で冊子単位の処理を行うことを特徴とする請求項４に記載の画像形成装置。
【請求項６】
前記区切り情報は、複数の読み込み動作を繰り返して複数ページの前記画像情報を読み込む際に、一度の読み込み動作の最終ページを示すことを特徴とする請求項４に記載の画像形成装置。
【請求項７】
前記読取開始釦及び前記画像形成開始釦は、同一釦であることを特徴とする請求項１に記載の画像形成装置。
【請求項８】
前記設定手段は、前記区切り情報に基づいた制御を行うかどうかを選択する選択手段を備えることを特徴とする請求項４に記載の画像形成装置。
【請求項９】
前記制御手段は、前記画像形成条件がページ単位で入力される際に、前記画像形成を、ページ単位にプリントシーケンスを停止させることなく行うことを特徴とする請求項１に記載の画像形成装置。
【請求項１０】
複数ページからなる１組の原稿画像から、設定された第１画像形成条件に従った画像形成を行い、複数ページからなる複写画像を形成する画像形成装置において、
前記複数ページのうち所定ページに対して、前記第１画像形成条件のうちレイアウト、情報付加、後処理のうち少なくとも一つを、前記第１画像形成条件とは異なる条件である第２画像形成条件に設定する設定手段と、
前記1組の原稿画像から複数ページからなる複写画像を形成するに際して、前記所定ページの原稿画像から画像形成するときは、前記設定手段により設定された第２画像形成条件に従った画像形成を行うよう制御する制御手段と、
を有することを特徴とする画像形成装置。
【請求項１１】
前記レイアウトは、複数の前記原稿画像を１ページ中に出力する処理を含むことを特徴とする請求項１０に記載の画像形成装置。
【請求項１２】
前記情報付加は、頁番号情報の付加を含むことを特徴とする請求項１０に記載の画像形成装置。
【請求項１３】
前記後処理は、ステープル処理、穴開け処理、折り処理のうちの少なくとも１つを含むことを特徴とする請求項１０に記載の画像形成装置。
【請求項１４】
前記第２画像形成条件の設定は、複数ページ毎に行うことを特徴とする請求項１に記載の画像形成装置。
【請求項１５】
前記設定手段は表示部を有し、該表示部に、前記第１の画像形成条件を前記原稿画像のページごとに表示し、該表示に基づき前記第２画像形成条件の設定を行うことを特徴とする請求項１０に記載の画像形成装置。
【請求項１６】
前記画像形成条件は、前記ページごとの出力枚数を含むことを特徴とする請求項１０に記載の画像形成装置。
【請求項１７】
前記表示部は、前記ページの画像情報をサムネイル表示することを特徴とする請求項１５に記載の画像形成装置。
【請求項１８】
前記表示部は、複数の前記ページを鳥瞰する鳥瞰表示手段を備えることを特徴とする請求項１５に記載の画像形成装置。
【請求項１９】
前記鳥瞰表示手段は、異なる前記画像形成条件を有するページごとに異なる表示形態を備えることを特徴とする請求項１８に記載の画像形成装置。
【請求項２０】
前記表示形態は、前記ページを象徴する表示の色であることを特徴とする請求項１９に記載の画像形成装置。
【請求項２１】
前記表示部は、表示するページを、番号指定するテンキー、並びに、表示されたページの前ページあるいは後ページを逐次指定することにより指定するシフトキーを備えることを特徴とする請求項１５に記載の画像形成装置。
【請求項２２】
複数ページからなる1組の原稿画像データを記憶する記憶手段と、
複写画像を形成するに際して、画像形成条件を設定する設定手段と、
前記記憶手段に記憶された原稿画像データを読出し、前記設定手段によって設定された画像形成条件に従った画像形成を行い、複写画像を形成して、排紙する画像形成手段と、を有し、
前記設定手段による画像形成条件の設定は、複数ページからなる１組の原稿画像から複数ページからなる複写画像を形成するに際して、レイアウト、情報付加、後処理のうち少なくとも一つを、ページ単位で設定できることを特徴とする画像形成装置。
【請求項２３】
前記画像形成条件の設定は、複数ページ単位で設定可能であることを特徴とする請求項２２に記載の画像形成装置。
【請求項２４】
前記設定手段は表示部を有し、該表示部に、前記画像形成条件を前記原稿画像のページごとに表示し、該表示に基づき前記第２画像形成条件の設定を行うことを特徴とする請求項２２に記載の画像形成装置。
【請求項２５】
前記画像形成条件は、前記ページごとの出力枚数を含むことを特徴とする請求項２２に記載の画像形成装置。
【請求項２６】
前記表示部は、前記ページの画像情報をサムネイル表示することを特徴とする請求項２４に記載の画像形成装置。
【請求項２７】
前記表示部は、複数の前記ページを鳥瞰する鳥瞰表示手段を備えることを特徴とする請求項２４に記載の画像形成装置。
【請求項２８】
前記鳥瞰表示手段は、異なる前記画像形成条件を有するページごとに異なる表示形態を備えることを特徴とする請求項２７に記載の画像形成装置。
【請求項２９】
前記表示形態は、前記ページを象徴する表示の色であることを特徴とする請求項２８に記載の画像形成装置。
【請求項３０】
前記表示部は、表示するページを、番号指定するテンキー、並びに、表示されたページの前ページあるいは後ページを逐次指定することにより指定するシフトキーを備えることを特徴とする請求項２４に記載の画像形成装置。
【発明の詳細な説明】
【技術分野】
【０００１】
この発明は、画像情報を記録紙に印刷する画像形成装置、さらには、印刷後の記録紙に後処理を行う画像形成装置に関する。
【背景技術】
【０００２】
近年、画像形成装置で行われる印刷処理の高度化に伴い、入力される記録紙のページ単位で画像形成条件の設定、管理が行われつつある（例えば、特許文献１参照）。これらの画像形成装置は、ページごとに画質の設定がなされ、ページごとに最適な画質のもとに印刷を行い、高品質の印刷画像を実現している。
【０００３】
また、画像形成装置では、印刷された記録紙に後処理、例えばステープル処理、パンチ処理等が行われることも日常化しており、これらの後処理も画像形成装置の高度化に伴い、高機能化が進んでいる。また、後処理以外にも、画像形成を行う条件として、頁情報付加、例えばページ番号の付加、レイアウト処理、例えば、１枚の記録紙に複数の画像を記録するなどの高機能な処理が行われている。
【特許文献１】特開２００２―９９１７９号公報、（第４頁、第５〜６図）
【発明の開示】
【発明が解決しようとする課題】
【０００４】
しかしながら、上記背景技術によれば、複数の原稿画像の読み込み時、任意のまとまりで上記のような画像形成の条件を設定することはできなかった。
また、画質以外の画像形成の条件について考慮されていない。よって、一群の記録紙をまとめて後処理する際に、異なる後処理を、記録紙の一部に対して行うことができなかった。すなわち、一群の記録紙に対して、すべて同様の後処理を行う必要があった。
【０００５】
特に、ステープル処理あるいはパンチ処理を後処理で行う際には、一群の記録紙の中の一部の記録紙に、ステープル処理あるいはパンチ処理を行う必要が多々ある。これらの状況では、オペレータが自ら、印刷される一群の記録紙の基となる画像情報を、同様の後処理ごとに分類、整理した後で、ジョブ単位あるいは複数ページ単位に画像形成条件を入力し、記録紙に印刷および後処理を行う必要があった。
【０００６】
これらのことから、一群の原稿に対して、異なる後処理も含めて、一度に後処理設定ができる画像形成装置をいかに実現するかが重要となる。
この発明は、上述した背景技術による課題を解決するためになされたものであり、一群の原稿に対して、ページ単位での画像形成条件を効率よく設定し、この画像形成条件に基づく画像形成が行える画像形成装置を提供することを目的とする。
【課題を解決するための手段】
【０００７】
上述した課題を解決し、目的を達成するために、請求項１に記載の発明にかかる画像形成装置は、原稿画像から複写画像を形成する際の画像形成条件を設定する設定手段と、原稿の画像をページ単位で読み取る読取手段と、前記読取手段で原稿の画像の読み取りを開始させるための読取開始釦と、前記読取手段で読み取った複数ページの原稿画像を記憶する記憶手段と、前記記憶手段に記憶された原稿画像に基づいて、前記設定手段で設定された画像形成条件に従って複写画像を形成する画像形成手段と、前記画像形成手段で複写画像の形成の開始を指示する画像形成開始釦と、複数ページからなる原稿から複写画像を形成するに際して、前記複数ページからなる原稿を複数のグループに分け、グループ毎に前記設定手段により画像形成条件を設定し、前記読取開始釦の押下により前記読取手段によってグループ毎に原稿の画像を読み取り、前記記憶手段に原稿画像を記憶させ、前記画像形成開始釦の押下により前記画像形成手段によってグループ毎に設定された画像形成条件に従ったグループ毎の複写画像の形成を、全グループに対して行うように制御する制御手段とを有しており、画像形成条件を、原稿画像の任意のグループ毎に設定でき、設定された画像形成条件に基づいて印刷処理を管理、実行することができ、ひいては、一群の画像情報による画像形成を行う際に、部分的に異なる画像形成の実行を容易に行う。
【０００８】
請求項２に記載の発明にかかる画像形成装置は、前記画像形成条件が、前記画像情報の画像形成枚数を含むことを特徴とする。
この請求項２に記載の発明では、画像形成条件は、画像情報の画像形成枚数を含むこととしているので、画像情報ごとの印刷枚数を容易に管理する。
【０００９】
請求項３に記載の発明にかかる画像形成装置は、前記画像形成条件は、前記記録紙を排紙する際の排紙位置情報を含むことを特徴とする。
この請求項３に記載の発明では、画像形成条件は、記録紙を排紙する際の、排紙位置情報を含むこととしているので、排紙皿を画像情報ごとに選択する。
【００１０】
請求項４に記載の発明にかかる画像形成装置は、前記画像形成条件は、同一画像形成条件が終了することを示す区切り情報を含むことを特徴とする。
この請求項４に記載の発明では、画像形成条件が、さらに処理の区切り情報を含むこととしているので、一群の画像情報あるいはこの画像情報が記録された記録紙に、共通の処理を行う際に、区切りをつける。
【００１１】
請求項５に記載の発明にかかる画像形成装置は、前記制御手段は、前記区切り情報に基づいて、前記後処理部で冊子単位の処理を行うことを特徴とする。
この請求項５に記載の発明では、制御部は、区切り情報に基づいて、後処理部で冊子単位の処理を行うこととしているので、冊子単位の処理をする際の区切りを容易に行う。
【００１２】
請求項６に記載の発明にかかる画像形成装置は、前記区切り情報が、複数の読み込み動作を繰り返して複数ページの前記画像情報を読み込む際に、一度の読み込み動作の最終ページを示すことを特徴とする。
【００１３】
この請求項６に記載の発明では、画像形成条件が、さらに処理の区切り情報を含むこととしているので、一群の画像情報あるいはこの画像情報が記録された記録紙に、共通の処理を行う際に、区切りをつける。
【００１４】
請求項７に記載の発明にかかる画像形成装置は、前記読取開始釦及び前記画像形成開始釦は、同一釦であることを特徴とする。
この請求項７に記載の発明では、原稿画像読み取り及びそれに続く画像形成を１つの釦で指示でき、連続した処理を行う。
【００１５】
請求項８に記載の発明にかかる画像形成装置は、前記設定手段は、前記区切り情報に基づいた制御を行うかどうかを選択する選択手段を備えることを特徴とする。
この請求項８に記載の発明では、設定手段により、区切り情報に基づいた制御を行うかどうかを選択することとしているので、区切り情報を行うかどうかにより、より多様な制御を行う。
【００１６】
請求項９に記載の発明にかかる画像形成装置は、前記制御手段は、前記画像形成条件がページ単位で入力される際に、前記画像形成を、ページ単位にプリントシーケンスを停止させることなく行うことを特徴とする。
【００１７】
この請求項９に記載の発明では、制御手段が、パージ毎の画像形成条件が設定される際に、印刷および後処理の画像形成の工程を、ページ単位にプリントシーケンスを停止させることなく行うこととしているので、画像形成条件がページ単位入力された場合にも、複数ページの印刷および後処理を同時に行う。
【００１８】
また、請求項１０に関わる発明は、複数ページからなる１組の原稿画像から、設定された第１画像形成条件に従った画像形成を行い、複数ページからなる複写画像を形成する画像形成装置において、前記複数ページのうち所定ページに対して、前記第１画像形成条件のうちレイアウト、情報付加、後処理のうち少なくとも一つを、前記第１画像形成条件とは異なる条件である第２画像形成条件に設定する設定手段と、前記1組の原稿画像から複数ページからなる複写画像を形成するに際して、前記所定ページの原稿画像から画像形成するときは、前記設定手段により設定された第２画像形成条件に従った画像形成を行うよう制御する制御手段と、を有することを特徴とする。
【００１９】
請求項１０に記載の発明では、複数ページのうち所定ページに対して、第１画像形成条件のうちレイアウト、情報付加、後処理のうち少なくとも一つを、第１画像形成条件とは異なる条件である第２画像形成条件に設定し、1組の原稿画像から複数ページからなる複写画像を形成するに際に、所定ページの原稿画像から画像形成するときは、設定手段により設定された第２画像形成条件に従った画像形成を行うようにしているので、１組の原稿中の特定ページについて、画像形成条件を任意に変更でき、所望の画像形成を行う。
【００２０】
請求項１１に記載の発明にかかる画像形成装置は、前記レイアウトは、複数の前記原稿画像を１ページ中に出力する処理を含むことを特徴とする。
請求項１１に記載の発明では、複数の前記原稿画像を１ページ中に出力する処理を１組の原稿うち、特定のペ−ジに対して処理を行う。
【００２１】
請求項１２に記載の発明にかかる画像形成装置は、前記情報付加は、頁番号情報の付加を含むことを特徴とする。
請求項１２に記載の発明では、番号情報の付加を、ペ−ジ毎に設定する。
【００２２】
請求項１３に記載の発明にかかる画像形成装置は、前記後処理は、ステープル処理、穴開け処理、折り処理のうちの少なくとも１つを含むことを特徴とする。
請求項１３に記載の発明では、前記後処理は、ステープル処理、穴開け処理、折り処理のうちの少なくとも１つがページ毎に設定でき、１組の原稿うち、特定のペ−ジに対して処理を行う。
【００２３】
請求項１４に記載の発明にかかる画像形成装置は、前記第２画像形成条件の設定は、複数ページ毎に行うことを特徴とする。
請求項１４に記載の発明では、画像形成条件の設定が複数ページ毎に行えるため、設定操作をより効率的に行う。
【００２４】
請求項１５に記載の発明にかかる画像形成装置は、前記設定手段は表示部を有し、該表示部に、前記第１の画像形成条件を前記原稿画像のページごとに表示し、該表示に基づき前記第２画像形成条件の設定を行うことを特徴とする。
【００２５】
この請求項１５に記載の発明では、第１の画像形成条件を表示するため、これを確認しながら第２の画像形成条件の設定を確実に行う。
請求項１６に記載の発明にかかる画像形成装置は、前記画像形成条件は、前記ページごとの出力枚数を含むことを特徴とする。
【００２６】
この請求項１６に記載の発明では、画像形成条件は、ページごとの出力枚数を含むこととしているので、画像情報ごとの印刷枚数を容易に管理する。
請求項１７に記載の発明にかかる画像形成装置は、前記表示部は、前記ページの画像情報をサムネイル表示することを特徴とする。
【００２７】
この請求項１７に記載の発明では、表示部は、１つのページの画像情報をサムネイル表示することとしているので、１つのページの画像と画像形成条件とを比較して、間違いのない画像形成条件とする。
【００２８】
請求項１８に記載の発明にかかる画像形成装置は、前記表示部は、複数の前記ページを鳥瞰する鳥瞰表示手段を備えることを特徴とする。
この請求項１８に記載の発明では、表示部は、鳥瞰表示手段により、複数のページを鳥瞰することとしているので、複数のページ間に渡る画像形成条件の差異を容易に認知する。
【００２９】
請求項１９に記載の発明にかかる画像形成装置は、前記鳥瞰表示手段は、異なる前記画像形成条件を有するページごとに異なる表示形態を備えることを特徴とする。
この請求項１９に記載の発明では、鳥瞰表示手段は、異なる画像形成条件を有するページごとに異なる表示形態としているので、複数のページ間での画像形成条件の差異を容易に見極める。
【００３０】
請求項２０に記載の発明にかかる画像形成装置は、前記表示形態は、前記ページを象徴する表示の色であることを特徴とする。
この請求項２０に記載の発明では、表示形態は、ページを象徴する表示の色であることとしているので、複数のページ間の様々な画像形成条件の差異を一目で認知する。
【００３１】
請求項２１に記載の発明にかかる画像形成装置は、前記表示部は、表示するページを、番号指定するテンキー、並びに、表示されたページの前ページあるいは後ページを逐次指定することにより指定するシフトキーを備えることを特徴とする。
【００３２】
この請求項２１に記載の発明では、表示部が、テンキーにより、表示するページを番号指定し、並びに、シフトキーにより、表示されたページの前ページあるいは後ページを逐次指定することとしているので、表示されるページを自由に選択する。
【００３３】
請求項２２に記載の発明にかかる画像形成装置は、複数ページからなる1組の原稿画像データを記憶する記憶手段と、複写画像を形成するに際して、画像形成条件を設定する設定手段と、前記記憶手段に記憶された原稿画像データを読出し、前記設定手段によって設定された画像形成条件に従った画像形成を行い、複写画像を形成して、排紙する画像形成手段と、を有し、前記設定手段による画像形成条件の設定は、複数ページからなる１組の原稿画像から複数ページからなる複写画像を形成するに際して、レイアウト、情報付加、後処理のうち少なくとも一つを、ページ単位で設定できることを特徴とする。
【００３４】
この請求項２２に記載の発明では、レイアウト、情報付加、後処理のうち少なくとも一つを、ページ単位で設定できるため、１組の原稿画像データから複写画像を得る際に、
任意のページに対し、これら画像形成条件の設定が自由に行う。
【００３５】
請求項２３に記載の発明にかかる画像形成装置は、前記画像形成条件の設定は、複数ページ単位で設定可能であることを特徴とする。
この請求項２３に記載の発明では、ページ毎の画像形成条件の設定を、複数ページの単位でまとめて行えるので、効率的に設定を行う。
【００３６】
請求項２４に記載の発明にかかる画像形成装置は、前記設定手段は表示部を有し、該表示部に、前記画像形成条件を前記原稿画像のページごとに表示し、該表示に基づき前記第２画像形成条件の設定を行うことを特徴とする。
【００３７】
この請求項２４に記載の発明では、画像形成条件を各ページ毎に表示するので、画像形成条件を確認しながら、確実に設定する。
請求項２５に記載の発明にかかる画像形成装置は、前記画像形成条件は、前記ページごとの出力枚数を含むことを特徴とする。
【００３８】
この請求項２５に記載の発明では、画像形成条件は、ページごとの出力枚数を含むこととしているので、画像情報ごとの印刷枚数を容易に管理する。
請求項２６に記載の発明にかかる画像形成装置は、前記表示部は、前記ページの画像情報をサムネイル表示することを特徴とする。
【００３９】
この請求項２６に記載の発明では、表示部は、１つのページの画像情報をサムネイル表示することとしているので、１つのページの画像と画像形成条件とを比較して、間違いのない画像形成条件とする。
【００４０】
請求項２７に記載の発明にかかる画像形成装置は、前記表示部は、複数の前記ページを鳥瞰する鳥瞰表示手段を備えることを特徴とする。
この請求項２７に記載の発明では、表示部は、鳥瞰表示手段により、複数のページを鳥瞰することとしているので、複数のページ間に渡る画像形成条件の差異を容易に認知する。
【００４１】
請求項２８に記載の発明にかかる画像形成装置は、前記鳥瞰表示手段は、異なる前記画像形成条件を有するページごとに異なる表示形態を備えることを特徴とする。
この請求項２８に記載の発明では、鳥瞰表示手段は、異なる画像形成条件を有するページごとに異なる表示形態としているので、複数のページ間での画像形成条件の差異を容易に見極める。
【００４２】
請求項２９に記載の発明にかかる画像形成装置は、前記表示形態は、前記ページを示す表示の色であることを特徴とする。
この請求項２９に記載の発明では、表示形態は、ページを示す表示の色であることとしているので、複数のページ間の様々な画像形成条件の差異を一目で認知する。
【００４３】
請求項３０に記載の発明にかかる画像形成装置は、前記表示部は、表示するページを、番号指定するテンキー、並びに、表示されたページの前ページあるいは後ページを逐次指定することにより指定するシフトキーを備えることを特徴とする。
【００４４】
この請求項３０に記載の発明では、表示部が、テンキーにより、表示するページを番号指定し、並びに、シフトキーにより、表示されたページの前ページあるいは後ページを逐次指定することとしているので、表示されるページを自由に選択する。
【発明の効果】
【００４５】
以上説明したように、請求項１に記載の発明よれば、画像形成条件を、原稿画像の任意のグループ毎に設定でき、設定された画像形成条件に基づいて印刷処理を管理、実行することができ、ひいては、一群の画像情報による画像形成を行う際に、部分的に異なる画像形成の実行を容易に行うことができる。
【００４６】
請求項２に記載の発明によれば、画像形成条件が、画像情報の画像形成枚数を含むこととしているので、画像情報ごとの印刷枚数を容易に管理することができる。
請求項３に記載の発明によれば、画像形成条件が、記録紙を排紙する際の、排紙位置情報を含むこととしているので、排紙皿を画像情報ごとに選択することができる。
【００４７】
請求項４に記載の発明によれば、画像形成条件が、さらに処理の区切り情報を含むこととしているので、一群の画像情報あるいはこの画像情報が記録された記録紙に、共通の処理を行う際に、区切りをつけることができる。
【００４８】
請求項５に記載の発明によれば、制御部は、区切り情報に基づいて、後処理部で冊子単位の処理を行うこととしているので、冊子単位の処理をする際の区切りを容易に行うことができる。
【００４９】
請求項６に記載の発明によれば、画像形成条件が、さらに処理の区切り情報を含むこととしているので、一群の画像情報あるいはこの画像情報が記録された記録紙に、共通の処理を行う際に、区切りをつけることができる。
【００５０】
請求項７に記載の発明によれば、原稿画像読み取り及びそれに続く画像形成を１つの釦で指示でき、連続した処理を可能とできる。
請求項８に記載の発明によれば、設定手段により、区切り情報に基づいた制御を行うかどうかを選択することとしているので、区切り情報を行うかどうかにより、より多様な制御を行うことができる。
【００５１】
請求項９に記載の発明によれば、制御手段が、パージ毎の画像形成条件が設定される際に、印刷および後処理の画像形成の工程を、ページ単位にプリントシーケンスを停止させることなく行うこととしているので、画像形成条件がページ単位入力された場合にも、複数ページの印刷および後処理を同時に行うことができる。
【００５２】
請求項１０に記載の発明によれば、複数ページのうち所定ページに対して、第１画像形成条件のうちレイアウト、情報付加、後処理のうち少なくとも一つを、第１画像形成条件とは異なる条件である第２画像形成条件に設定し、1組の原稿画像から複数ページからなる複写画像を形成するに際に、所定ページの原稿画像から画像形成するときは、設定手段により設定された第２画像形成条件に従った画像形成を行うようにしているので、１組の原稿中の特定ページについて、画像形成条件を任意に変更でき、所望の画像形成が可能となる。
【００５３】
請求項１１に記載の発明によれば、複数の前記原稿画像を１ページ中に出力する処理を１組の原稿うち、特定のペ−ジに対して処理を行うことができる。
請求項１２に記載の発明によれば、番号情報の付加がペ−ジ毎に設定可能となる。
【００５４】
請求項１３に記載の発明によれば、前記後処理は、ステープル処理、穴開け処理、折り処理のうちの少なくとも１つがページ毎に設定でき、１組の原稿うち、特定のペ−ジに対して処理を行うことができる。
【００５５】
請求項１４に記載の発明によれば、画像形成条件の設定が複数ページ毎に行えるため、設定操作がより効率的に行える。
請求項１５に記載の発明によれば、第１の画像形成条件を表示するため、これを確認しながら第２の画像形成条件の設定を確実に行うことが可能となる。
【００５６】
請求項１６に記載の発明によれば、画像形成条件は、ページごとの出力枚数を含むこととしているので、画像情報ごとの印刷枚数を容易に管理することができる。
請求項１７に記載の発明によれば、表示部は、１つのページの画像情報をサムネイル表示することとしているので、１つのページの画像と画像形成条件とを比較して、間違いのない画像形成条件とすることができる。
【００５７】
請求項１８に記載の発明によれば、表示部は、鳥瞰表示手段により、複数のページを鳥瞰することとしているので、複数のページ間に渡る画像形成条件の差異を容易に認知することができる。
【００５８】
請求項１９に記載の発明によれば、鳥瞰表示手段は、異なる画像形成条件を有するページごとに異なる表示形態としているので、複数のページ間での画像形成条件の差異を容易に見極めることができる。
【００５９】
請求項２０に記載の発明によれば、表示形態は、ページを象徴する表示の色であることとしているので、複数のページ間の様々な画像形成条件の差異を一目で認知することができる。
【００６０】
請求項２１に記載の発明によれば、表示部が、テンキーにより、表示するページを番号指定し、並びに、シフトキーにより、表示されたページの前ページあるいは後ページを逐次指定することとしているので、表示されるページを自由に選択することができる。
【００６１】
請求項２２に記載の発明によれば、レイアウト、情報付加、後処理のうち少なくとも一つを、ページ単位で設定できるため、１組の原稿画像データから複写画像を得る際に、
任意のページに対し、これら画像形成条件の設定が自由に行えるようになる。
【００６２】
請求項２３に記載の発明によれば、ページ毎の画像形成条件の設定を、複数ページの単位でまとめて行えるので、効率的に設定を行うことができる。
請求項２４に記載の発明によれば、画像形成条件を各ページ毎に表示するので、画像形成条件を確認しながら、確実に設定することが可能となる。
【００６３】
請求項２５に記載の発明によれば、画像形成条件は、ページごとの出力枚数を含むこととしているので、画像情報ごとの印刷枚数を容易に管理することができる。
請求項２６に記載の発明によれば、表示部は、１つのページの画像情報をサムネイル表示することとしているので、１つのページの画像と画像形成条件とを比較して、間違いのない画像形成条件とすることができる。
【００６４】
請求項２７に記載の発明によれば、表示部は、鳥瞰表示手段により、複数のページを鳥瞰することとしているので、複数のページ間に渡る画像形成条件の差異を容易に認知することができる。
【００６５】
請求項２８に記載の発明によれば、鳥瞰表示手段は、異なる画像形成条件を有するページごとに異なる表示形態としているので、複数のページ間での画像形成条件の差異を容易に見極めることができる。
【００６６】
請求項２９に記載の発明によれば、表示形態は、ページを示す表示の色であることとしているので、複数のページ間の様々な画像形成条件の差異を一目で認知することができる。
【００６７】
請求項３０に記載の発明によれば、表示部が、テンキーにより、表示するページを番号指定し、並びに、シフトキーにより、表示されたページの前ページあるいは後ページを逐次指定することとしているので、表示されるページを自由に選択することができる。
【発明を実施するための最良の形態】
【００６８】
以下に添付図面を参照して、この発明にかかる画像形成装置を実施するための最良の形態について説明する。なお、これにより本発明が限定されるものではない。
まず、本実施の形態にかかる画像形成装置の全体構成について説明する。図８は、画像形成装置の全体構成を示す図である。この画像形成装置は、デジタル複合機１００、パンチユニット１１０および後処理装置１２０を含む。デジタル複合機１００は、本体および給紙トレイ１０１からなり、本体は、読み取り手段の例であるスキャナ部１０２、画像形成手段の一部をなすプリンター部１０３、給紙トレイ１０７、搬送路１０９および１１１、制御部１６１をなすＣＰＵ１０５および画像メモリ１０６等を含む。また、穴開け処理を行うパンチユニット１１０は、パンチ部１１７およびパンチ部１１７を制御する制御部１１６を含む。また、後処理装置１２０は、搬送路１２１〜１２４、ゲート１７０、シフト部１５１、スタック部１４０、ステープル部１４１、排紙皿をなすメイントレイ１４２およびサブトレイ１４４、並びに、制御部１６０を含む。パンチユニット１１０、及び後処理装置１２０は、前述のプリンター部１０３等とともに画像形成手段を構成する。
【００６９】
操作部１０８は、画像形成条件の設定するための、ＬＣＤ（Ｌｉｑｕｉｄ  Ｃｒｙｓｔａｌ  Ｄｉｓｐｌａｙ）等のタッチパネルおよびテンキーを備える設定手段を有する。
この操作部１０８には、図示していないが、スキャナ部１０２による原稿の読み取り開始を指示する読取開始釦、及び画像形成の開始を指示する画像形成開始釦、画像形成条件を設定するための設定手段が設けられている。
【００７０】
なお、本発明における画像形成条件とは、原稿画像から複写画像を形成する際の出力するための条件であり、後処理、情報付加、レイアウト、両面／片面複写、排出先トレイ選択等がある。具体例でいうと、後処理としては、ステープル、パンチ、および排出先トレイ選択など、情報付加としては、各原稿ペ−ジにおけるページ番号の付加など、レイアウトとしては、出力１ページのレイアウトであり、原稿画像の複数ページを１枚に出力する処理などいわゆる  Ｎ in １処理がある。
【００７１】
スキャナ部１０２は、スキャナ部１０２に載置された原稿の画像をページ単位で読み取る。そして、プリンター部１０３は、画像形成条件に基づいて、給紙トレイ１０１の搬送路１０９、あるいは給紙トレイ１０７から供給される記録紙を入力し、記録紙上に、スキャナ部１０２で読み取られた画像を転写し、画像形成を行う。さらにプリンター部１０３で画像形成された記録紙は、プリンター部１０３から搬送路１１１を介して、パンチユニット１１０に給紙される。
【００７２】
パンチユニット１１０は、デジタル複合機１００からの記録紙に、制御情報に基づいて、パンチ部１１７でパンチ穴を開ける。その後、後処理装置１２０は、パンチユニット１１０から排紙された記録紙を搬送路１２１に取り込み、ゲート１７０により、メイントレイ１４２に排紙するかあるいはサブトレイ１４４に排紙するか、さらにメイントレイに排紙する際には、後処理工程のシフト部１５１でシフト処理を行うかステープル部１４１でステープル処理を行うか、により搬送路１２２〜１２４が選択される。
【００７３】
ここで、後処理部のスタック部１４０は、後処理工程のステープル処理を行う際に、複数枚の記録紙を蓄積する。そして、同じく後処理部のステープル部１４１は、このスタック部１４０に蓄積された記録紙に、制御部１６０からの指示により、ステープル針を打ち込み、綴じ合わせを行う。
【００７４】
なお、搬送路１２４からスタック部１４０上部に搬入された記録紙は、自重により平綴じストッパーまで滑り落ち停止する。これにより、スタック部１４０内の複数の記録紙が、搬送方向に位置合わせされ、搬送方向の整合状態となる。また、搬送方向と直交する記録紙面の幅揃えは、図示しない、図１の紙面と直交する軽打機構により、制御部１６０からの指示により、記録紙を軽打し、幅整合が行われる。また、ステープルが実行された複数の記録紙は、スタック部１４０内の排紙ベルトにより、後端を排出爪により保持されつつ上方に押し上げられ、メイントレイ１４２に排紙される。
【００７５】
シフト部１５１は、搬送路１２１からゲート１７０を介して搬送路１２３に入力したストレート排紙の記録紙を、メイントレイ１４２上に、記録紙搬送方向と直角方向に位置をずらして排紙する。これにより、異なる内容が複写された記録紙を、メイントレイ１４２上で分別することができる。
【００７６】
サブトレイ１４４は、搬送路１２２に入力した記録紙を排紙した後の受け皿となる。サブトレイ１４４は、後処理装置１２０の上段に位置しており、排紙された記録紙を、後処理装置１２０の上部から容易に取り出すことができる。
【００７７】
つづいて、デジタル複合機１００の制御部１６１を中心とする画像情報および制御情報の流れを示すシステムブロック図を図１に示す。スキャナ部１０２から画像情報が読み込まれる場合は、スキャナ部１０２のＣＣＤ（Ｃｈａｒｇｅ  Ｃｏｕｐｌｅｄ  Ｄｅｖｉｃｅ）で原稿の画像情報を読み取り、その後、制御部１６１の読み取り処理部２２１で読み込まれた後に、圧縮ＩＣ２２２により画像圧縮され、画像メモリ１０６に記憶される。また、各画像情報の画像形成条件は、設定部を有する操作部１０８から、ジョブ単位、複数ページ単位あるいはページ単位のいずれかでの入力が可能であり、同じく画像メモリ１０６に保存される。
【００７８】
また、端末１３０からＬＡＮ（Ｌｏｃａｌ  Ａｒｅａ  Ｎｅｔｗｏｒｋ）を介して画像情報を読み込む場合には、画像情報を、画像処理部１１２の画像メモリ１１３に読み込み、その後、バス２４０を介して制御部１６１の画像メモリ１０６に読み込む。その後、画像メモリ１０６の画像情報は、ＤＲＡＭ制御ＩＣ２２５を介して圧縮ＩＣ２２２に転送され、そこで圧縮された後に、再び画像メモリ１０６に格納される。
【００７９】
なお、画像メモリ１０６および１１３は、ＤＲＡＭ（Ｄｙｎａｍｉｃ  Ｒａｎｄａｍ  Ａｃｃｅｓｓ  Ｍｅｍｏｒｙ）を用いて構成されており、各々、記憶情報のリフレッシュを行うＤＲＡＭ制御ＩＣ２２５および２２６により制御される。
【００８０】
画像メモリ１０６に格納された画像情報の圧縮データは、ＤＲＡＭ制御ＩＣ２２５を介して伸張ＩＣ２２４に転送されて画像情報の伸張が行われ、その後読み出し処理部２２３から、プリンター部１０３のＬＤ（Ｌａｓｅｒ  Ｄｉｏｄｅ）に送信され、画像形成が行われる。また、画像メモリ１０６の画像形成条件の情報は、ＣＰＵ１０５を介して、プリンター部１０３のプリンター制御部１１６に転送される。プリンター制御部１１６は、この制御情報に基づいて、プリンターの制御、さらには後続する、パンチユニット１１０および後処理装置１２０の制御を行う。
【００８１】
以下、本発明の第１の実施形態を説明する。
本実施の形態では、複数ページからなる原稿から複写画像を形成するに際して、複数ページからなる原稿を複数のグループに分け、グループ毎に設定手段により画像形成条件を設定する。読取開始釦を押すことにより読取手段であるスキャナ１０２によってグループ毎に原稿の画像を読み取り、記憶手段である画像メモリ１０６に原稿画像を記憶させる。続いて、画像形成開始釦を押すことにより、画像形成手段であるプリンター部１０３によって、グループ毎に設定された画像形成条件に従ったグループ毎の複写画像の形成を、全グループに対して行う。
【００８２】
図２は、制御部１６１における、画像情報および画像形成条件の画像メモリ１０６への書き込みおよび読み出しを示す機能ブロック図である。なお、読み取り手段２００および読み出し手段２０３を構成するハードウェアは、ＣＰＵ１０５、不揮発メモリ２２０、ＤＲＡＭ制御ＩＣ２２５、読み取り処理部２２１、圧縮ＩＣ２２２、伸張ＩＣ２２４および読み出し処理部２２３である。
【００８３】
操作部１０８は、一群の画像情報、すなわち図２の例では原稿１〜５を読み込む際に、オペレータにより画像形成条件が設定される。この画像形成条件は、ジョブ単位、もしくは複数ページ単位、すなわちグループ毎の設定、あるいはページ単位に設定が行われ、制御部１６１は、この画像形成条件および原稿１〜５の画像情報を読み取り手段２００により画像メモリ１０６に読み込む。そして、原稿１〜５の画像情報は、圧縮ＩＣ２２２により圧縮され、その後、ページ書き込み手段２０１は、入力されたジョブ単位、複数ページ単位あるいはページ単位の画像形成条件から、圧縮された画像情報のページごとに、個別画像形成条件を生成する。そして、この個別画像形成条件を対応するページの圧縮データにリンク等させることにより関連付けて、個別画像形成条件および圧縮データを、画像メモリ１０６に格納する。ページ書き込み手段２０１は、この操作を繰り返し、一群の画像情報を画像メモリ１０６に格納する。なお、図２では、操作部１０８およびスキャナ部１０２から、画像形成条件および画像情報が読み込まれるとしたが、端末１３０から画像形成条件および画像情報を入力する場合は、図１に示すように端末１３０からＬＡＮ（Ｌｏｃａｌ  Ａｒｅａ  Ｎｅｔｗｏｒｋ）を介して読み込む。画像情報および画像形成条件を、画像処理部１１２の画像メモリ１１３に読み込み、その後、バス２４０を介して制御部１６１の画像メモリ１０６に読み込む。なお、画像処理部１１２に読み込まれる画像形成条件は、ジョブ単位、複数ページ単位あるいはページ単位のいずれかで入力される。
【００８４】
画像メモリ１０６に格納された個別画像形成条件および圧縮データは、読み出し手段２０３により読み出される。読み出し手段２０３のページ読み出し手段２０２では、圧縮データおよびこの圧縮データに関連付けられた個別画像形成条件が対になって順次読み出される。圧縮データは、伸張ＩＣ２２４により伸張され、その後、画像情報として、対応する個別画像形成条件とともに、プリンター部１０３に送信される。
【００８５】
次に、図３を用いて、本発明にかかるデジタル複合機１００の動作を示す。まず、オペレータは、設定手段を有する操作部１０８から、画像形成条件の入力方法、すなわちジョブ単位か、複数ページ単位かあるいはページ単位かを選択し、その後、原稿の画像形成条件を設定する（ステップＳ３０１）。この設定では、操作部１０８のタッチパネルあるいはテンキーから、原稿サイズ、印刷枚数、濃淡といったプリンター情報に加えて、画像形成条件として、パンチ処理あるいはステープル処理等の後処理情報も同時に設定される。なお、この設定では、グループ毎、ページごとの後処理も含めて設定することが出来るので、画像形成条件は、複雑多岐に渡ることがある。
【００８６】
その後、オペレータは、入力した画像形成条件の確認を行う（ステップＳ３０２）。この確認は、特に、画像形成条件が複雑多岐に渡る場合に、間違いの無い出力を行う為に必要とされる。図４に、この確認の為の表示変更手段の一例を示す。
【００８７】
図４（Ａ）および（Ｂ）の表示画面およびテンキー４１０は、ページ単位の画像形成条件を確認および変更する設定手段である。この表示画面は、入力される画像形成条件ごとに複数の原稿を鳥瞰する鳥瞰表示部４００、各原稿のページ単位の画像形成条件を表示する個別表示部４０１およびシフトキー４１１を含んでいる。鳥瞰表示部４００では、一枚の原稿を象徴する画像表示（間取り）が、設定が行われるすべての原稿枚数分、横一列に、位置ずれを持って、重ね合わされた配置をしている。ここでは、１枚の原稿を１つの矩形で表示している。また、個別表示部４０１には、鳥瞰表示部４００の選択された間取りに対応する原稿のページ単位の画像形成条件が列挙される。なお、一枚の原稿を象徴する間取りの選択は、テンキー４１０によるページ指定あるいは表示画面右上のシフトキー４１１によるシフトにより行われる。なお、鳥瞰表示部４００の一枚の原稿を象徴する間取りは、異なる画像形成条件を有する原稿に対応した間取りごとに異なる表示、例えば色分けあるいは網掛け表示とされる。
【００８８】
また、この設定手段をなす表示画面は、スキャナ部１０２から画像情報を読み込んだ後に、画像形成条件の確認および変更を行う為に用いることも出来る。この場合、個別表示部４０１の左側には、出力原稿の縮小された画像がサムネイル表示され、オペレータが容易に、出力原稿の確認を行える様になっている。
【００８９】
図４（Ａ）は、１２枚の原稿を読み取り、印刷を行う際に、２ページ目の個別表示を行った例である。この例では、３〜７ページでステープル処理が行われるので、対応する間取りは網掛け状態で表示されている。図４（Ｂ）は、図４（Ａ）と同様の例で、１２枚の原稿を読み取り印刷を行う際に、３ページ目の個別表示を行った例である。この例では、３〜７ページでステープル処理が行われるので、サムネイル表示４０４を行う画像には、ステープル処理を模式的に示す図が付加される。
【００９０】
図３に戻り、オペレータは、図４に示した設定手段を用いて、画像形成条件が正しいかどうかを判定する（ステップＳ３０３）。画像形成条件が正しくない場合には（ステップＳ３０３否定）、ステップＳ３０１に移行し、画像形成条件の設定を再度行う。なお、この再設定に伴う変更は、図４に示した表示画面を用いることも出来る。図４の個別表示部４０１に含まれるページ単位の画像形成条件に示された画像形成条件部分を、タッチパネルとすることにより、例えば、オペレータが、ステープル処理の部分をタッチすることにより、ステープル処理の設定画面に移行し、容易にステープル処理の設定変更を行うことができる。
【００９１】
また、オペレータは、画像形成条件が正しい場合には（ステップＳ３０３肯定）、スキャナ部１０２に原稿を配設し、画像情報の読み取りおよび画像メモリ１０６への書き込みを行う（ステップＳ３０４）。この書き込みにおいては、図２に示したページ書き込み手段２０１を用いて、ジョブ単位、複数ページ単位あるいはページ単位で入力された画像形成条件を、画像情報ごとの個別画像形成条件とし、画像情報の圧縮データとリンクした上で、画像メモリ１０６に格納する。
【００９２】
その後、ＣＰＵ１０５は、読み込み回数を終了しているかどうかを判定し（ステップＳ３０６）、読み込み回数を終了していない場合には（ステップＳ３０６否定）、ステップＳ３０１に移行し、ステップＳ３０１の画像形成条件の設定を行う。
【００９３】
また、ＣＰＵ１０５は、読み込み回数を終了している場合には（ステップＳ３０６肯定）、画像メモリ１０６の圧縮データおよび個別画像形成条件を読み出すことにより、画像情報の読み出しを行う（ステップＳ３０７）。この画像情報の読み出しでは、図２に示したページ読み出し手段２０２を用いて、圧縮データおよびこの圧縮データにリンクされた個別画像形成条件を順次読み出す。この圧縮データは、伸張の後に、画像情報として個別画像形成条件と共にプリンター部１０３に送信される。
【００９４】
その後、プリンター部１０３のプリンター制御部１１６は、個別画像形成条件に基づいて、画像情報のプリント処理（ステップＳ３０８）を行い、さらに個別画像形成条件には、後処理情報も含まれるので、パンチユニット１１０および後処理装置１２０は、プリンター制御部１１６からの後処理情報に基づいて、後処理を行い（ステップＳ３０９）、記録紙を排紙トレイに排紙する（ステップＳ３１０）。
【００９５】
ここで、画像メモリ１０６からプリンター部１０３へ送信される個別画像形成条件の例およびこの個別画像形成条件に基づいた、ステップＳ３０９で行われるパンチユニット１１０および後処理装置１２０の後処理、さらにメイントレイ１４２あるいはサブトレイ１４４への排紙の例を示す。
【００９６】
図５（Ａ）は、ページ単位で画像形成条件を入力した場合の、個別画像形成条件の例を表にしたものである。なお、上向き矢印の記入されている欄は、上の欄と画像形成条件が同じであることを表している。この個別画像形成条件は、図２に示した例に対応するもので、画像形成条件が設定されたページ１〜５の原稿にリンクする個別画像形成条件に関するものである。表の縦軸は、ページ番号を示し、横軸は、画像形成条件が項目別に示されている。ここで、ページごとに、後処理項目、排紙トレイの選択、部数、および処理の区切りを示す区切り情報が、個別画像形成条件として表示されている。この区切り情報は、例えば冊子単位処理を行う場合の区切り情報として用いられる。図５（Ｂ）は、図５（Ａ）の個別画像形成条件に基づいて、排紙を行った際に出力される記録紙を例示したものである。図５（Ｂ）では、図５（Ａ）の各ページに示された部数の記録紙が、指定されたメイントレイ１４２あるいはサブトレイ１４４に出力され、かつ、指定のあるページにパンチユニット１１０によりパンチ処理が施されている。
【００９７】
つづいて、図６（Ａ）は、複数ページ単位で画像形成条件を入力した場合の、個別画像形成条件の例を表にしたものである。この個別画像形成条件は、図２に示した例で、原稿のページ１〜３およびページ４，５を異なる画像形成条件の設定とし、ページ１〜３およびページ４，５の原稿の束ごとに、画像情報の読み込みを行った場合の例である。この例では、ページ１〜３およびページ４，５で、パンチの有り無しおよび異なる排紙トレイの選択が為されている。なお、ページ３に付加されている区切り情報は、冊子単位の後処理が含まれていないので無視される。
【００９８】
また、図６（Ｂ）は、複数ページ単位で画像形成条件を入力した場合の、個別画像形成条件の例を表にしたものであり、図６（Ａ）と同様に、原稿のページ１〜３およびページ４，５を異なる画像形成条件の設定とし、ページ１〜３およびページ４，５の原稿の束ごとに、画像情報の読み込みを行った場合の例である。この例では、ページ１〜３およびページ４，５ごとに、左上一カ所のステープル処理を行う。ここでは、区切り情報が、冊子単位の処理であるステープル処理の区切りとして用いられている。
【００９９】
また、図６（Ｃ）は、複数ページ単位で画像形成条件を入力した場合の、個別画像形成条件の例を表にしたものであり、図６（Ａ）と同様に、原稿のページ１〜３およびページ４，５を異なる画像形成条件の設定とし、ページ１〜３およびページ４，５の原稿の束ごとに、画像情報の読み込みを行った場合の例である。この例は、一旦設定した画像条件を画像出力時に利用したくない場合を考慮し、容易にこれを可能とする構成である。その例として、区切り情報の有効あるいは無効（利用するかしないか）の設定を、操作部１０８あるいは不揮発メモリ２２０内の設定情報に基づいて行う構成としている。この例は、図６（Ｂ）と同様であるが、上記設定情報に基づいて、区切り情報を無視する、すなわち利用しない場合である。結果、ページ１〜５は、左上一カ所のステープル処理を行った一束の冊子として出力される。この構成により、設定した画像形成条件を、一時的に利用したくない場合等、画像形成条件そのものを変更する必要なく効率的な操作が行える。
【０１００】
つづいて、図７（Ａ）は、ジョブ単位で画像形成条件を入力した場合の、個別画像形成条件の例を表にしたものである。この個別画像形成条件は、図２に示した例と同様にで、原稿のページ１〜５の画像形成条件をジョブ単位で設定し、画像情報の読み込みを行った場合の例である。この例では、最終ページの区切り情報によりステープルが実行され、ページ１〜５の左上一カ所にステープル処理を行った一束の冊子として出力される。
【０１０１】
また、図７（Ｂ）は、図７（Ａ）と同様であるが、最終ページの区切り情報が無視される場合の例である。図７（Ａ）と同様に、ページ１〜５の左上一カ所にステープル処理を行った一束の冊子として出力されるが、区切り情報は無視され、ページ１〜５の最終処理としてステープル処理が実行される。
【０１０２】
上述してきたように、本実施の形態では、画像形成条件に、パンチユニット１１０および後処理装置１２０で行われる後処理情報、さらにメイントレイ１４２あるいはサブトレイ１４４の選択情報を含み、画像メモリ１０６にページ書き込み手段２０１を用いて書き込む際に、画像形成条件を画像情報ごとの個別画像形成条件にして、画像情報とリンクさせて格納し、さらにページ読み出し手段２０２により読み出す際には、画像情報とともにこの個別画像形成条件を読み出し、画像情報、ひいては原稿ごとに後処理を実行することとしているので、一群の原稿に対して、異なる後処理も含めて、一度に後処理設定を行い、実行することができる。
【０１０３】
また、本実施の形態では、設定された画像形成条件を、設定手段をなす表示画面により、鳥瞰表示部４００からページ単位に選択および表示し、画像情報のサムネイル表示により、混乱無く確実にページ単位の画像形成条件を、確認および変更することができる。
【０１０４】
続いて、本発明の第２の実施形態を説明する。
本実施の形態においては、複数ページからなる１組の原稿画像から、設定された第１画像形成条件に従った画像形成を行い、複数ページからなる複写画像を形成するもので、複数ページのうち所定ページに対して、第１画像形成条件のうちレイアウト、情報付加、後処理のうち少なくとも一つを、第１画像形成条件とは異なる条件である第２画像形成条件に設定し、1組の原稿画像から複数ページからなる複写画像を形成するに際して、所定ページの原稿画像から画像形成するときは、前記設定手段により設定された第２画像形成条件に従った画像形成を行う。以下、詳細に説明する。
【０１０５】
本実施の形態における画像形成装置の基本構成は、図１と同様である。
複数ページからなる１組の原稿画像データは、スキャナ１０２、もしくは他の端末１３０等から制御部１６１へ入力される。この際、原稿画像データには、第１の画像形成条件が設定されている。第１の画像形成条件の具体例としては、後処理としてのステープル処理、パンチ処理、情報付加としてのペ−ジ番号の付加、レイアウトとしての原稿画像の複数ページを１枚に出力する処理、両面／片面複写、排出先トレイの選択等がある。
【０１０６】
これら第１の画像形成条件を付加された原稿画像データが記憶手段１０６に記憶されている。なお、第１の画像形成条件は、通常用いられる条件を初期値として設定しておくようにすればよい。例えば、ステープル処理、パンチ処理は無し、排出先トレイはメイントレイという設定である。
【０１０７】
本実施の形態においては、かかる原稿画像データに関し、所定ページについて設定された第１の画像形成条件のうち後処理、情報付加、レイアウトについて変更し、第１の画像形成条件とは異なる第２の画像形成条件とすることができる。
【０１０８】
以下、画像形成条件の設定を変更する手順の例を説明する。まず、複数ページからなる１組の原稿画像データについて、第１の画像形成条件を操作部１０８の表示部に表示する。操作部１０８における画像形成条件の表示例を図９に示す。なお、先の図４と同じ番号で示した部分は、同様の機能を有する。この表示部に、少なくとも後処理、付加情報の例であるページ番号付加、レイアウトの例である２in１（２枚の原稿を１枚の記録用紙に記録する）、の画像形成条件を確認のため表示する。なお、画像形成条件は１組の全ページ分を表示してもよいが、変更したいページを選択し、選択されたページに対応する画像形成条件のみを表示する構成としても良い。
【０１０９】
オペレータは、この表示に基づき画像形成条件の変更、すなわち第１の画像形成条件から第２の画像形成条件の設定を行う。図１０に変更例を示す。図１０（Ａ）が変更前の第１の画像形成条件であり、図１０（Ｂ）は変更された第２の画像形成条件を示している、画像形成手段は、この変更された第２の画像形成条件に基づき画像形成を行う。なお、図１０（Ｂ）で示す例では、レイアウトの例である２in１の設定は無し、情報付加の例であるページ番号付加の設定は有りとなっている。結果、前述の図７（Ａ）で説明した画像形成条件にページ番号付加機能が追加された形態で有る。したがって、ページ番号を付加する以外は、基本的に図７のときと同様の画像形成が行われる。
【０１１０】
なお、本例においては、後処理、付加情報、レイアウト以外の画像形成条件についても変更可能としており、出力の自由度を上げている。
上述してきたように、本実施の形態では、画像形成条件に、パンチユニット１１０および後処理装置１２０で行われる後処理情報、画像処理部１１２で行われるレイアウト、情報付加、排出先であるメイントレイ、サブトレインの選択等を含み、ページ読み出し手段２０２により読み出す際に、画像情報とともに第１の画像形成条件を読み出し、後処理、レイアウト、情報付加についてページ毎に変更を可能とし、この結果で原稿ごとに後処理を実行することとしているので、一群の原稿に対して、異なる後処理も含めて、一度に後処理設定を行い、実行することができる。
【０１１１】
また、本実施の形態では、設定された画像形成条件を、設定手段をなす表示画面により、鳥瞰表示部４００からページ単位に選択および表示し、画像情報のサムネイル表示により、混乱無く確実にページ単位の画像形成条件を、確認および変更することができる。
【０１１２】
続いて、第３の実施形態を説明する。
本実施の形態においては、複数ページからなる1組の原稿画像データに基づき複写画像を形成するに際して、画像形成条件を設定する設定手段により、レイアウト、情報付加、後処理のうち少なくとも一つを、ページ単位で設定するものである。
【０１１３】
以下、詳細に説明する。
本実施の形態における画像形成装置の基本構成は、図１と同様である。
複数ページからなる１組の原稿画像データは、スキャナ１０２、もしくは他の端末１３０等から制御部１６１へ入力される。かかる原稿画像データに関し、複数ページのうちの所定ページについて、ページ単位で、画像形成条件として後処理、情報付加、レイアウトの少なくとも１つを設定することができる。
【０１１４】
以下、画像形成条件の設定手順の例を説明する。まず、複数ページからなる１組の原稿画像データに基づく表示を、操作部１０８の表示部に行う。操作部１０８、及び表示部での表示例を図１１（Ａ）に示す。４２０は、条件設定を行うためのキーである。このキーは表示部に表示し、画面を触れることで動作する形態としてもよい。
【０１１５】
オペレータは、このページに新たな画像形成条件を設定したい場合、機能設定キー４２０を押す。これにより、画像形成条件として後処理の例としてのステープル、パンチ、情報付加の例としてのページ番号付加、レイアウトの例として２in１が表示され、所望の画像形成条件を設定する。画像形成条件設定の結果、例えば、図１０（Ｂ）のようになる。このように、後処理、情報付加、レイアウトのうちの少なくとも１つをページ単位で設定可能としている。また、画像形成条件を付加したいページは、鳥瞰表示部４００を用いて選択する。以上のような操作を経て、例えば、図１０（Ｂ）の様な設定を行う。
【０１１６】
画像形成手段は、この設定された画像形成条件に基づき画像形成を行う。なお、図１０（Ｂ）で示す例では、レイアウトの例である２in１の設定は無し、情報付加の例であるページ番号付加の設定は有りとなっている。結果、前述の図７（Ａ）で説明した画像形成条件にページ番号付加機能が追加された形態で有る。したがって、ページ番号を付加する以外は、基本的に図７のときと同様の画像形成が行われる。
【０１１７】
なお、本例においては、後処理、付加情報、レイアウト以外の画像形成条件についてもペ−ジ毎に設定可能とすることで、より出力の自由度を上げている。
また、一旦設定した画像形成条件を、第２の実施の形態にて第２の画像形成条件を設定する例と同様に変更可能とすることで、より利便性は向上する。
【０１１８】
上述してきたように、本実施の形態では、画像形成条件に、パンチユニット１１０および後処理装置１２０で行われる後処理、さらに画像処理部１１２で行われるレイアウト、情報付加を含み、画像情報ごとにこの画像形成条件の設定を可能とし、原稿ごとに設定された画像形成条件による処理を実行することとしているので、一群の原稿に対して、異なる後処理も含めて、一度に後処理設定を行い、実行することができる。
【０１１９】
また、本実施の形態では、設定の際に、画像形成条件を設定手段をなす表示画面により、鳥瞰表示部４００からページ単位に選択および表示し、画像情報のサムネイル表示により、混乱無く確実にページ単位の画像形成条件を、確認および変更することができる。
【図面の簡単な説明】
【０１２０】
【図１】デジタル複合機の制御部を中心とする画像形成装置の構成を示す図である。
【図２】デジタル複合機の制御部の機能ブロック図である。
【図３】実施の形態１の制御部の動作を示すフローチャートである。
【図４】実施の形態１のページ単位の画像形成条件を表示する表示画面の図である。
【図５】実施の形態１のページ単位入力の個別画像形成条件の例を示す図である。
【図６】実施の形態１の複数ページ単位の個別画像形成条件の例を示す図である。
【図７】実施の形態１のジョブ単位の個別画像形成条件の例を示す図である。
【図８】デジタル複合機の全体構成を示す図である。
【図９】実施の形態２のページ単位の画像形成条件を表示する表示画面の図である。
【図１０】実施の形態２のジョブ単位の個別画像形成条件の変更例を示す図である。
【図１１】実施の形態３のページ単位の画像形成条件を設定および表示する表示画面の図である。
【符号の説明】
【０１２１】
１００  デジタル複合機
１０１  給紙トレイ
１０２  スキャナ部
１０３  プリンター部
１０５  ＣＰＵ
１０６、１１３  画像メモリ
１０７  給紙トレイ
１０８  操作部
１０９、１１１、１１７、１２１〜１２４  搬送路
１１０  パンチユニット
１１２  画像処理部
１１６  プリンター制御部
１１７  パンチ部
１２０  後処理装置
１３０  端末
１４０  スタック部
１４１  ステープル部
１４２  メイントレイ
１４４  サブトレイ
１５１  シフト部
１６０、１６１  制御部
１７０  ゲート
２００  読み取り手段
２０１  ページ書き込み手段
２０２  ページ読み出し手段
２０３  読み出し手段
２２０  不揮発メモリ
２２１  読み取り処理部
２２３  読み出し処理部
２４０  バス
４００  鳥瞰表示部
４０１  個別表示部
４０４  サムネイル表示
４１０  テンキー
４１１  シフトキー
４２０  条件設定キー
１０５  画像制御ＣＰＵ
２２２、２２４  伸張ＩＣ
２２５、２２６  ＤＲＡＭ制御ＩＣ
【図１】
2004287411.tif 000003
【図２】
2004287411.tif 000004
【図３】
2004287411.tif 000005
【図４】
2004287411.tif 000006
【図５】
2004287411.tif 000007
【図６】
2004287411.tif 000008
【図７】
2004287411.tif 000009
【図８】
2004287411.tif 000010
【図９】
2004287411.tif 000011
【図１０】
2004287411.tif 000012
【図１１】
2004287411.tif 000013